(57)【要約】【課題】空気漏れを好適に防止できる酸素カプセルのシール構造を提供する。【解決手段】ソフトタイプの酸素カプセル１のシール構造であって、カプセル本体１０に取り付けられる外側ファスナー２０と、外側ファスナー２０の裏面部を少なくとも覆うシール部材４０と、外側ファスナー２０の裏側に設けられ、シール部材４０を裏側から支持する支持部材５０と、支持部材５０に取り付けられる内側ファスナー３０とを備え、内側ファスナー３０は、その開閉部分３２がシール部材４０と当接しない状態で支持部材５０に設けられ、かつ閉状態のときにシール部材４０を外側ファスナー２０に当接させる。【選択図】図７
2018102372.tif 000002
【特許請求の範囲】
【請求項１】
密閉体のシール構造であって、
密閉体本体に取り付けられる外側ファスナーと、
前記外側ファスナーの裏面部を少なくとも覆うシール部材と、
前記外側ファスナーの裏側に設けられ、前記シール部材を裏側から支持する支持部材と、
前記支持部材に取り付けられる内側ファスナーと、
を備え、
前記内側ファスナーは、その開閉部分が前記シール部材と当接しない状態で前記支持部材に設けられ、かつ閉状態のときに前記シール部材を前記外側ファスナーに当接させる
ことを特徴とする密閉体のシール構造。
【請求項２】
請求項１に記載のシール構造を備えた
ことを特徴とする密閉体。
【請求項３】
前記密閉体は、ソフトタイプの酸素カプセルである
請求項２に記載の密閉体。
【請求項４】
ソフトタイプの酸素カプセルのシール構造であって、
カプセル本体に取り付けられる外側ファスナーと、
前記外側ファスナーの裏面部を少なくとも覆うシール部材と、
前記外側ファスナーの裏側に設けられ、前記シール部材を裏側から支持する支持部材と、
前記支持部材に取り付けられる内側ファスナーと、
を備え、
前記内側ファスナーは、その開閉部分が前記シール部材と当接しない状態で前記支持部材に設けられ、かつ閉状態のときに前記シール部材を前記外側ファスナーに当接させる
ことを特徴とする酸素カプセルのシール構造。
【請求項５】
前記支持部材は、布製または樹脂製である
請求項４に記載の酸素カプセルのシール構造。
【請求項６】
前記シール部材はゴムシートである
請求項４または５に記載の酸素カプセルのシール構造。
【請求項７】
カプセル本体と、
シール構造と、
を備えたソフトタイプの酸素カプセルであって、
前記シール構造は、請求項４〜６のいずれか一項に記載のシール構造である
ことを特徴とする酸素カプセル。
【請求項８】
前記カプセル本体は長筒体状であり、
前記外側ファスナーは、前記カプセル本体に長手方向に沿って取り付けられ、
前記内側ファスナーは、前記外側ファスナーに対して周方向に離れた位置に、前記外側ファスナーと平行に取り付けられる
請求項７に記載の酸素カプセル。
【発明の詳細な説明】
【技術分野】
【０００１】
本発明は、密閉体のシール構造およびそれを用いた密閉体、ならびに酸素カプセルのシール構造およびそれを用いた酸素カプセルに関する。
【背景技術】
【０００２】
酸素カプセルは、カプセル内部の気圧を標準以上に高めることで、カプセル内の酸素濃度を高め体内への潤沢な酸素供給を実現しつつ、カプセル内の人の血液中に溶け込む酸素量を増やす装置であり、疲労回復や治癒力向上に有効とされている。
【０００３】
酸素カプセルには、アルミ、鉄、繊維強化プラスチック（Fiberglass Reinforced Plastics：ＦＲＰ）等を用いたハードタイプと、ポリ塩化ビニル（ＰＶＣ）等の樹脂系素材を用いたソフトタイプとがある。
【０００４】
ハードタイプの酸素カプセルは、本体と蓋体との間にシール部材を設けることにより、空気漏れを防止している（例えば、特許文献１）。
【０００５】
ところで、近年、ポータブルで扱いやすいソフトタイプが、スポーツや美容、健康業界を中心に普及している。ソフトタイプの酸素カプセルは、ハードタイプの酸素カプセルに比べて空気漏れの問題が大きい。カプセル本体の耐久性の問題もあるが、覗き窓やファスナー部分からの空気漏れがあり、特にファスナー部分からの空気漏れが大きな問題である。
【０００６】
従来は、内側ファスナーと外側ファスナーを使用し、両ファスナーが上下に重なるような位置に配置し、ファスナー間にゴム製の弁（ゴム弁）を挿入することにより空気漏れを防いでいた。
【０００７】
しかしながら、内側ファスナーの上にゴム弁があるため、内側ファスナーを閉める際にゴム弁に皺が生じやすく、その部分から空気漏れが発生するという難点があった。また、内側ファスナーと外側ファスナーの上下のわずかな隙間に、皺が発生しないようにゴム弁を真っ直ぐに挿入する操作は煩雑で、特に１人で利用する場合にはより煩雑であった。
【先行技術文献】
【特許文献】
【０００８】
【特許文献１】特開２００７−２０２９９５号公報
【発明の概要】
【発明が解決しようとする課題】
【０００９】
本発明は、上記の課題に鑑み、空気漏れを好適に防止できる、密閉体のシール構造およびそれを用いた密閉体、ならびに酸素カプセルのシール構造およびそれを用いた酸素カプセルを提供することにある。
【課題を解決するための手段】
【００１０】
本発明の一態様に係る密閉体のシール構造は、密閉体のシール構造であって、密閉体本体に取り付けられる外側ファスナーと、前記外側ファスナーの裏面部を少なくとも覆うシール部材と、前記外側ファスナーの裏側に設けられ、前記シール部材を裏側から支持する支持部材と、前記支持部材に取り付けられる内側ファスナーと、を備え、前記内側ファスナーは、その開閉部分が前記シール部材と当接しない状態で前記支持部材に設けられ、かつ閉状態のときに前記シール部材を前記外側ファスナーに当接させることを特徴とする。
【００１１】
他の一態様に係る密閉体は、本発明の一態様に係る密閉体のシール構造を備えたことを特徴とする。
【００１２】
また、本発明の一態様に係る酸素カプセルのシール構造は、ソフトタイプの酸素カプセルのシール構造であって、カプセル本体に取り付けられる外側ファスナーと、前記外側ファスナーの裏面部を少なくとも覆うシール部材と、前記外側ファスナーの裏側に設けられ、前記シール部材を裏側から支持する支持部材と、前記支持部材に取り付けられる内側ファスナーと、を備え、前記内側ファスナーは、その開閉部分が前記シール部材と当接しない状態で前記支持部材に設けられ、かつ閉状態のときに前記シール部材を前記外側ファスナーに当接させることを特徴とする。
【００１３】
他の一態様に係る酸素カプセルは、カプセル本体と、シール構造と、を備えたソフトタイプの酸素カプセルであって、前記シール構造は、本発明の一態様に係るシール構造であることを特徴とする。
【発明の効果】
【００１４】
上記構成によれば、内側ファスナーを閉める際にシール部材に隙間や皺等が発生せず、空気漏れを好適に防止できる。
【図面の簡単な説明】
【００１５】
【図１】実施形態に係る酸素カプセルの平面図である。
【図２】酸素カプセルの正面図である。
【図３】支持部材の周辺構造を示す平面図である。
【図４】酸素カプセルのシール構造の概略を示す部分拡大図である。
【図５】酸素カプセルのシール構造の概略を示す部分拡大図である。
【図６】酸素カプセルのシール構造の概略を示す部分拡大図である。
【図７】酸素カプセルの断面構造を模式的に示す部分拡大図である。
【発明を実施するための形態】
【００１６】
＜概要＞
本発明の一態様に係る酸素カプセルのシール構造は、ソフトタイプの酸素カプセルのシール構造であって、カプセル本体に取り付けられる外側ファスナーと、前記外側ファスナーの裏面部を少なくとも覆うシール部材と、前記外側ファスナーの裏側に設けられ、前記シール部材を裏側から支持する支持部材と、前記支持部材に取り付けられる内側ファスナーと、を備え、前記内側ファスナーは、その開閉部分が前記シール部材と当接しない状態で前記支持部材に設けられ、かつ閉状態のときに前記シール部材を前記外側ファスナーに当接させることを特徴とする。
【００１７】
このような構成によれば、内側ファスナーを閉める際にシール部材に隙間や皺等が発生せず、空気漏れを好適に防止できる。
【００１８】
なお、本出願人は、従来のソフトタイプの酸素カプセルに使用されていたゴム弁をなくして、内側ファスナーおよび外側ファスナーを高気密ファスナーに替えることを検討した。しかしながら、両ファスナーの上下の位置関係の調整が非常に困難で、調整に職人技を要するのに加えて、ファスナーの位置が少しでもずれると、そこから空気漏れが発生するという問題があった。また、高気密ファスナーの操作を誤ると破損しやすいという問題もある。高気密ファスナーは非常に高価であり、高気密ファスナーの交換、修理は非常に困難であることから、量産になじまず現実的ではなかった。
【００１９】
＜実施形態＞
以下に実施形態について、図面を参照しながら詳細に説明する。
本実施形態では、密閉体がソフトタイプの酸素カプセルである場合について、具体的に説明する。
【００２０】
図１は実施形態に係る酸素カプセル１を上側からみた平面図、図２は酸素カプセル１の正面図である。図３は支持部材５０の周辺構造を上側からみた平面図である。図４、図５および図６は、酸素カプセル１のシール構造の概略を示す部分拡大図である。図７は、酸素カプセル１の断面構造を模式的に示す部分拡大図である。
【００２１】
１．概略
一般に、酸素カプセルは、医療用の高気圧酸素治療に使用される機器・原理を基礎とする装置であり、ヘンリーの法則を応用し、溶解型酸素を体内に効率よく取り込むことができる。酸素カプセルは、高気圧酸素治療器と比べると気圧は低めで（通常、１．２〜１．３気圧）、純酸素ではなく空気を使用するため、健康増進機器に位置づけられている。また、大気中の空気を利用しているため、引火や爆発の心配もない。
【００２２】
本実施形態における酸素カプセルはソフトタイプであり、軽く、折りたためるため、スーツケース等に収納でき、持ち運びに便利である。
【００２３】
２．全体構成
主に図１および図２を用いて説明する。
酸素カプセル１は、略長筒体状をなすカプセル本体１０と、カプセル本体１０に取り付けられる外側ファスナー２０と、カプセル本体１０の内部に取り付けられる内側ファスナー３０と、覗き窓７とを備えている。
【００２４】
酸素カプセル１は、図示しないが、圧力調整バルブ、圧力表示ゲージ等の、酸素カプセルに通常必要な部品も備えている。なお、カプセル本体１０内部に空気を送るコンプレッサーを、酸素カプセル１に含めてもよい。
【００２５】
酸素カプセル１の大きさは、カプセル本体１０内に人が入り、横になって寝ることができる程度の大きさであればよく、通常、長さ（Ｌ）１９０〜２２０ｃｍ、幅（Ｗ）５０〜９０ｃｍ、高さ（Ｈ）５０〜９０ｃｍであり、好ましくは長さ２００〜２１０ｃｍ、幅６０〜８０ｃｍ、高さ６０〜８０ｃｍであり、特に好ましくは長さ２０５ｃｍ、幅７０ｃｍ、高さ７０ｃｍである。なお、カプセル本体１０の大きさは、酸素カプセル１の大きさと略同様である。
【００２６】
酸素カプセル１の重量（コンプレッサーを除く）は、持ち運びの点からは軽い方が好ましく、通常、１３ｋｇ以下、好ましくは１０ｋｇ以下、特に好ましくは８ｋｇ以下である。
【００２７】
３．カプセル本体
主に図１および図２を用いて説明する。
カプセル本体１０は膨張した状態で、内部に１人を収容し得る程度の大きさの気密空間を有する。
【００２８】
カプセル本体１０を形成する生地としては、気密性があり、軽量で柔軟性があるものが好ましく、例えば、布製、ＰＶＣ等の樹脂製、シリコーンゴム等のゴム製等が使用される。また、耐久性の点から、防弾チョッキ等に使用される特殊繊維（例えば、ケプラー）も織り込んだ布等も使用できる。
【００２９】
４．シール構造
主に図３を用いて説明する。
酸素カプセル１に用いられるシール構造は、カプセル本体１０の内部に設けられる支持部材５０と、支持部材５０上に貼り付けられるシール部材４０と、カプセル本体１０に取り付けられる外側ファスナー２０と、支持部材５０に取り付けられる内側ファスナー３０とを備えている。
【００３０】
（１）支持部材
主に図３および図４を用いて説明する。
支持部材５０は、カプセル本体１０の長手方向に長い矩形状をなし、外側ファスナー２０の裏側であって、カプセル本体１０の裏面１２に縫製等により取り付けられている。なお、図３において、外側ファスナー２０は、仮想の位置関係を示している。
【００３１】
支持部材５０は、カプセル本体１０を形成する生地と同様のものが用いられ、例えば、布製、ＰＶＣ等の樹脂製が使用される。ただし、カプセル本体１０に必要な耐久性までは要求されない。
【００３２】
支持部材５０の短手方向中央よりも端部側（図３の下側)には、内側ファスナー３０が縫製等により取り付けられている。
【００３３】
また、支持部材５０の表面であって、内側ファスナー３０の非取付け部には、矩形状のシール部材４０が貼り付けられている。すなわち、支持部材５０はシール部材４０を裏側から支持している。
【００３４】
支持部材５０の長さは、シール部材４０の長さよりも少し長い方が好ましく、支持部材５０の幅は、シール部材４０と内側ファスナー３０とを支持できる程度の大きさが好ましい。具体的には、支持部材５０の長さは、好ましくは１００〜２００ｃｍ、特に好ましくは１２０〜１５０ｃｍである。また、支持部材５０の幅は、３０〜８０ｃｍ、特に好ましくは４０〜６０ｃｍである。
【００３５】
支持部材５０の厚みは、好ましくは１〜３ｍｍ、特に好ましくは１．５〜２．５ｍｍである。支持部材５０の厚みは、カプセル本体１０を形成する生地の厚みよりも薄い方が好ましい。
【００３６】
（２）シール部材
主に図３及び図４を用いて説明する。
シール部材４０は、支持部材５０の表面であって、内側ファスナー３０の非取付け部に貼り付けられている。シール部材４０の短手方向の中央部に、外側ファスナー２０が長手方向に沿って配置されるようにカプセル本体１０に対して位置決めすることが好ましい。
【００３７】
シール部材４０の材質は、弾性変形可能な材料であれば特に限定はないが、例えば、シリコーンゴム、ウレタンゴム等のゴムが好ましい。
【００３８】
シール部材４０はシート状のものが好ましく、特に好ましくはゴムシートであり、その厚みは、好ましくは１〜３ｍｍ、特に好ましくは１．５〜２．５ｍｍである。
【００３９】
シール部材４０は、外側ファスナー２０の裏面部を少なくとも覆うものであればよく、シール部材４０の長さは、外側ファスナー２０の長さよりも長いことが好ましく、シール部材４０の幅は、外側ファスナー２０の幅よりも大きいことが好ましい。具体的には、シール部材４０の長さは、好ましくは９０〜１９０ｃｍ、特に好ましくは１１０〜１４０ｃｍである。また、シール部材４０の幅は、２０〜７０ｃｍ、特に好ましくは３０〜５０ｃｍである。
【００４０】
シール部材４０の支持部材５０表面への取付けは、貼り付けでもよい。シール部材４０の貼り付けは、シール部材４０全面を貼り付ける必要はなく、シール部材４０の一部であってもよい。例えば、シール部材４０の長辺の１辺のみを支持部材５０表面に貼り付けてもよい。
【００４１】
シール部材４０の貼り付けは、両面テープ等で行うことができる。
【００４２】
シール部材４０であって、支持部材５０に貼り付けられていない側の長手方向端部４１（図６は一部が折り曲げられた状態を示す）は、支持部材５０の長辺側(図３の上側)まで押し込んだ状態で使用される。
【００４３】
（３）外側ファスナー
主に図１および図４を用いて説明する。
外側ファスナー２０は、カプセル本体１０の表面１１に縫製等により取り付けられている。
【００４４】
外側ファスナー２０は、基材となる左右一対のテープ２１と、左右一対のエレメント（務歯）２２と、スライダー（開閉部品）２３とを備える。
【００４５】
外側ファスナー２０の長さ（Ｌ１）（図１参照）は、少なくとも人が入れる開口を形成できる長さであればよく、カプセル本体１０の長さ（Ｌ）により異なるが、好ましくは１００〜２００ｃｍ、特に好ましくは１２０〜１５０ｃｍである。
【００４６】
（３−１）テープ
主に図４を用いて説明する。
各テープ２１の端部は、カプセル本体１０の表面１１に縫製等により取り付けられている。
【００４７】
テープ２１の材質は特に限定はないが、主にポリエステルが使用される。
【００４８】
（３−２）エレメント
主に図４を用いて説明する。
各エレメント２２は、各テープ２１の長手方向に沿って互い違いに並べて取り付けられている。左右一対のエレメント２２の間でスライダー２３を動かすことで、左右のエレメント２２同士が順に組み合わさってゆき、自在に開閉できる構造になっている。開いている状態からスライダー２３を動かせば、動かした位置まで閉まり、逆に閉まっている状態からスライダー２３を動かせば、動かした位置まで開く構造になっている。
【００４９】
（３−３）スライダー
図４に示すように、スライダー２３の引手の形状は、平板形状であるが、スライダー２３の材質や形状は特に限定はない。
【００５０】
（４）内側ファスナー
主に図１、図４および図７を用いて説明する。
内側ファスナー３０は、基材となる左右一対のテープ３１と、左右一対のエレメント３２と、スライダー（図示せず）とを備える。
【００５１】
内側ファスナー３０は、その開閉部分（エレメント３２部分）が、シール部材４０と当接しない状態で支持部材５０に、例えば、縫製等により取り付けられている。
【００５２】
内側ファスナー３０の長さ（Ｌ２）（図１参照）は、少なくとも人が入れる開口を形成できる長さであればよく、カプセル本体１０の長さ（Ｌ）により異なるが、外側ファスナー２０の長さ（Ｌ１）よりも３〜５ｃｍ程度短い方が好ましい。具体的には、内側ファスナー３０の長さ（Ｌ２）は、好ましくは９７〜１９７ｃｍ、特に好ましくは１１７〜１４７ｃｍである。
【００５３】
図１に示すように、内側ファスナー３０は、外側ファスナー２０に対してカプセル本体１０の周方向に、所定の間隔をおいて外側ファスナー２０と平行に取り付けられる。すなわち、図面中央部の間隔（Ｄ）と、図面右側の間隔（Ｄ１）と、図面左側の間隔（Ｄ２）とは同じである（Ｄ＝Ｄ１＝Ｄ２）。
【００５４】
外側ファスナー２０と内側ファスナー３０との間隔（Ｄ）は、カプセル本体１０の幅方向の大きさにより異なるが、好ましくは１００〜２００ｍｍ、特に好ましくは１４０〜１６０ｍｍである。間隔（Ｄ）が小さすぎると、外側ファスナー２０の裏面部を覆うシール部材４０が、内側ファスナー３０と重なり、内側ファスナー３０の開閉部分（エレメント３２部分）がシール部材４０と当接するため、内側ファスナー３０を閉める際にシール部材４０に皺が発生する傾向がみられる。逆に、間隔（Ｄ）が大きすぎると、カプセル本体１０の内側から、外側ファスナー２０、内側ファスナー３０の開閉がしづらくなる傾向がみられる。
【００５５】
（４−１）テープ
主に図４を用いて説明する。
各テープ３１の端部は、支持部材５０に縫製等により取り付けられている。
【００５６】
テープ３１の材質は特に限定はないが、主にポリエステルが使用される。
【００５７】
（４−２）エレメント
主に図４を用いて説明する。
各エレメント３２は、各テープ３１の長手方向に沿って互い違いに並べて取り付けられている。左右一対のエレメント３２の間でスライダーを動かすことで、左右のエレメント３２同士が順に組み合わさってゆき、自在に開閉できる構造になっている。開いている状態からスライダーを動かせば、動かした位置まで閉まり、逆に閉まっている状態からスライダーを動かせば、動かした位置まで開く構造になっている。
【００５８】
５．覗き窓
主に図１および図２を用いて説明する。
カプセル本体１０の上面に、楕円状の覗き窓７を１個設けた。覗き窓７は、カプセル本体１０内に人が入った場合に、カプセル本体１０内部から外部の様子もしくは外部からカプセル本体１０内部の様子が見えるように透明性を有し、例えば、略透明なアクリル板を用いて形成されている。
【００５９】
なお、覗き窓７のカプセル本体１０への取付けは、縫製や溶着（例えば、高周波ウェルダー）等により行うことができる。
【００６０】
６．酸素カプセルの操作手順
（１）本実施形態の酸素カプセル１は、１人でも利用することができる。まず、利用者がカプセル本体１０に入り、カプセル本体１０の内側から外側ファスナー２０を全部閉める。次に、カプセル本体１０の内側から内側ファスナー３０を全部閉める。スライダーを動かし左右のエレメント３２同士を順に組み合わせて内側ファスナー３０を順に閉めていくと、撓んでいた支持部材５０が上側方向（カプセル本体１０の上面側）に引っ張られる。すると、支持部材５０上に張り付けられたシール部材４０も上側方向（カプセル本体１０の上面側）に引っ張られ、外側ファスナー２０の裏面部およびその周辺部に当接する（図７参照）。ここで、本実施形態の酸素カプセル１は、内側ファスナー３０の開閉部分（エレメント３２部分）がシール部材４０と当接していないため、内側から内側ファスナー３０を閉める際にシール部材４０に皺が発生しない。
【００６１】
１人で利用する場合は、コンプレッサーの電源を入れてからカプセル本体１０に入り、外側ファスナー２０および内側ファスナー３０を閉めた後に、カプセル本体１０内部から、圧力表示ゲージ（図示せず）を見ながら、圧力調整バルブ（図示せず）にて、カプセル本体１０内の圧力を所望の気圧（通常１．３気圧）に調整することが好ましい。
【００６２】
なお、補助者によりカプセル本体１０の外側から外側ファスナー２０および内側ファスナー３０を閉めることができる場合、外側ファスナー２０および内側ファスナー３０の閉める順序は問わない。
【００６３】
（２）カプセル本体１０が膨張すると、支持部材５０が上側方向（カプセル本体１０の上面側）に引っ張られるとともに、加圧によりカプセル本体１０に押し当てられるため、シール部材４０が外側ファスナー２０の裏面部およびその周辺部に密着するとともに、内側ファスナー３０がカプセル本体１０の裏面１２に密着する（図７参照）。これにより、本実施形態の酸素カプセル１は、１人で利用する場合においても、空気漏れを好適に防止できる。
【００６４】
（３）酸素カプセル１の利用は、基本ワンセット６０分〜９０分である。なお、酸素カプセル１の中で寝てしまっても問題はなく、むしろ仮眠をとる方が効果的な場合もある。利用者の好みに応じて、カプセル本体１０内にマットを敷いてもよく、カプセル本体１０内に枕や毛布等も入れて使用することも自由である。
【００６５】
（４）終了
まず、コンプレッサーの電源をオフにして、圧力調整バルブを解放する。圧力表示ゲージで圧力計が０になっていることを確認した後、内側ファスナー３０および外側ファスナー２０を開ける。無理やり内側ファスナー３０および外側ファスナー２０を開けようとすると、カプセル本体１０が破損する原因となる。
【００６６】
＜変形例＞
以上、一実施形態に係る酸素カプセルを説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００６７】
１．外側ファスナー、内側ファスナー
（１）両ファスナーの間隔
実施形態では、外側ファスナー２０と内側ファスナー３０とは、所定の間隔（Ｄ）をおいて平行に配置したが、間隔（Ｄ）は一定でなくてもよい、長手方向端部に行くに従って、間隔が狭くなる、もしくは広くなるようにしてもよい。すなわち、Ｄ２＜Ｄ＜Ｄ１、もしくはＤ２＞Ｄ＞Ｄ１とすることもできる。
【００６８】
（２）取付け位置等
実施形態では外側ファスナー２０をカプセル本体１０の長手方向中央、内側ファスナー３０を幅方向にずらして配置したが、例えば、内側ファスナー３０をカプセル本体１０の長手方向中央、外側ファスナー２０を幅方向にずらして配置してもよい。
【００６９】
また、実施形態では外側ファスナー２０および内側ファスナー３０を、カプセル本体１０の上面に設けたが、カプセル本体１０の側面に設けてもよい。
【００７０】
また、実施形態では、外側ファスナー２０および内側ファスナー３０をカプセル本体１０の長手方向に沿って設けたが、カプセル本体１０の幅方向（周方向）に沿って設けてもよい。
【００７１】
なお、実施形態では、外側ファスナー２０および内側ファスナー３０を各１個設けたが、個数に限定はなく複数個向けることもできる。
【００７２】
（３）材質等
本実施形態で使用する外側ファスナー２０および内側ファスナー３０の種類や材質は特に限定はなく、例えば、樹脂ファスナー、ビスロンファスナー、金属ファスナー等が使用できるが、好ましくは樹脂ファスナー、ビスロンファスナーである。また、高気密性ファスナーであってもよい。
【００７３】
本実施形態で使用する外側ファスナー２０および内側ファスナー３０は、スライドファスナーが好ましい。なお、面ファスナーは利便性、シール性の点で好ましくなく、スナップボタンでは利便性、シール性が劣る。
【００７４】
（４）取付け
実施形態では、外側ファスナー２０、内側ファスナー３０等は、縫製により取り付けたが、溶着（例えば、高周波ウェルダー）等により取り付けてもよい。
【００７５】
（５）内側ファスナー
内側ファスナー３０は長手方向の１本であったが、例えば、Ｌ字状、Ｕ字状でもよく、外側ファスナー２０の全周を囲っていてもよい。
内側ファスナー３０は、支持部材５０の長手方向の一部に設けたが、長手方向の全長に設けてもよい。
内側ファスナー３０の片方のテープ３１を、カプセル本体１０に直接取り付けてもよい。この場合、このテープ３１が支持部材５０の一部となる。
【００７６】
（６）スライダー
実施形態では、スライダー２３の引手の形状は平板形状にしたが、これに限定されず、例えば、指先が入る大きさの環状部を備えたものでもよい。
【００７７】
２．シール部材
シール部材４０の支持部材５０への取付けは、貼り付けに限定されず、縫製や溶着（例えば、高周波ウェルダー）等でもよい。
【００７８】
実施形態では、シール部材４０を支持部材５０の表面に両面テープ等で貼り付けが、貼り付けずに支持部材５０の表面に積層もしくは載置するだけでもよい。
【００７９】
シール部材４０は長方形状としたが、正方形状であってもよく、他の形状（丸形、菱形等）であってもよい。
【００８０】
シール部材４０は、内側ファスナー３０の開閉部分（エレメント３２部分）と当接していなければよく、内側ファスナー３０の片方のテープ３１と当接していてもよい。
【００８１】
３．支持部材
実施形態では、支持部材５０は長方形状としたが、正方形状であってもよく、他の形状（丸形、菱形等）であってもよい。
【００８２】
４．カプセル本体
実施形態では、カプセル本体１０の大きさは、膨張した状態で形成される内部の気密空間が、横たわった成人を１人収容し得る程度の大きさの空間となるように寸法を設定しているが、これに限定されるものではない。例えば、複数人収容する程度の空間としてもよく、椅子に腰掛けた状態で使用できる程度の空間や、老人や身体が不自由な人等をリフトで吊るした状態で使用できる程度の空間等にすることもできる。
【００８３】
なお、実施形態では、カプセル本体１０は長筒体状としたが、この形状に限定されるものではない。
【００８４】
５．覗き窓
実施形態では、カプセル本体１０の上面に楕円状の覗き窓７を１個設けたが、覗き窓の位置、大きさ、数については特に限定はなく、カプセル本体１０の各側面に覗き窓を各１個設けてもよい。なお、覗き窓を省略しても差し支えない。
【００８５】
６．密閉体のシール構造
実施形態では、ソフトタイプの酸素カプセルのシール構造（具体的には、カプセル本体のシール構造）について説明したが、これに限定されず、例えば、ウェットスーツや宇宙服等のシール構造や、ゴムボート、カヌー等の乗物のシール構造や、牛乳等の食品の運搬用ケースのシール構造や、鮮魚運搬用等の水槽のシール構造や、透明なボールの中に人が入ることができる遊具（例えば、バブルサッカー）等のシール構造等にも使用することができる。
【産業上の利用可能性】
【００８６】
本実施形態の酸素カプセルは、サッカー、野球、ゴルフ、スケート、ボクシング、競輪等のスポーツ選手の怪我や疲労の早期回復に広く使用することができる。また、スポーツ分野の他にも、医療分野、美容分野、企業の福利厚生、家庭での健康維持等の場面でも使用することができる。
【符号の説明】
【００８７】
１  酸素カプセル
１０  カプセル本体
２０  外側ファスナー
３０  内側ファスナー
４０  シール部材
５０  支持部材
【図１】
2018102372.tif 000003
【図２】
2018102372.tif 000004
【図３】
2018102372.tif 000005
【図４】
2018102372.tif 000006
【図５】
2018102372.tif 000007
【図６】
2018102372.tif 000008
【図７】
2018102372.tif 000009